(57)【要約】【課題】  ユーザが、ユーザの状況に合う画像形成装置を適切に選択できるようにする。【解決手段】  制御部２は、（ａ）印刷ジョブの属性を特定する機能、（ｂ）印刷ジョブの実行が可能である場合に、特定した印刷ジョブの属性に関連して、印刷ジョブの実行中に発生する可能性のあるエラーまたは不具合が存在するか否かを判定する機能、（ｃ）印刷ジョブの実行中に発生する可能性のあるエラーまたは不具合が存在する場合、そのエラーまたは不具合の発生可能性を示す警告通知を送信する機能、および（ｄ）警告通知が送信された場合、印刷ジョブの実行開始指令を受信したときのみ、印刷ジョブを実行させる機能を有する。また、警告通知とともに、代替可能な画像形成装置の情報をユーザに提供することも可能である。【選択図】  図１
2010094920.tif 000002
【特許請求の範囲】
【請求項１】
印刷ジョブの属性を特定するジョブ解析手段と、
前記印刷ジョブの実行が可能である場合に、前記ジョブ解析手段により特定された属性に関連して、前記印刷ジョブの実行中に発生する可能性のあるエラーまたは不具合が存在するか否かを判定する判定手段と、
前記印刷ジョブの実行中に発生する可能性のあるエラーまたは不具合が存在する場合、そのエラーまたは不具合の発生可能性を示す警告通知を送信する通知手段と、
前記警告通知が送信された場合、前記印刷ジョブの実行開始指令を受信したときのみ、前記印刷ジョブを実行させる制御手段と、
を備えることを特徴とする画像形成装置。
【請求項２】
装置内部の状態を示す状態データ、並びに過去のエラーまたは不具合の種類および回数を示すカウンタデータのうちの少なくとも一方のデータを格納するデータ格納部を備え、
前記判定手段は、前記状態データおよび前記カウンタデータのうちの少なくとも一方に基づいて、前記印刷ジョブの実行中に発生する可能性のあるエラーまたは不具合が存在するか否かを判定することを特徴とする請求項１記載の画像形成装置。
【請求項３】
前記状態データは、トナー残量および紙残量のうちの少なくとも一方を含むことを特徴とする請求項２記載の画像形成装置。
【請求項４】
印刷ジョブの属性とエラーまたは不具合の項目との関連性を定義する関連性データを格納するデータ格納部を備え、
前記判定手段は、前記関連性データに基づいて前記印刷ジョブに関連するエラーまたは不具合の項目を特定し、特定した項目についてその印刷ジョブの実行中に発生する可能性のあるエラーまたは不具合が存在するか否かを判定すること、
を特徴とする請求項１記載の画像形成装置。
【請求項５】
印刷ジョブ実行中にエラーが発生した場合にその印刷ジョブの属性とそのエラーの項目とを関連付けて前記関連性データを生成する関連性データ生成手段を備えることを特徴とする請求項４記載の画像形成装置。
【請求項６】
前記印刷ジョブの実行中に発生する可能性のあるエラーまたは不具合が存在する場合、その印刷ジョブが実行可能であって、かつそのエラーまたは不具合がその印刷ジョブの実行中に発生する可能性がないと予測される他の画像形成装置を検索する検索手段を備え、
前記通知手段は、前記警告通知の送信先へ、前記検索手段により発見された前記他の画像形成装置を通知すること、
を特徴とする請求項１記載の画像形成装置。
【発明の詳細な説明】
【技術分野】
【０００１】
本発明は、画像形成装置に関するものである。
【背景技術】
【０００２】
ネットワークに接続された端末装置および画像形成装置により印刷システムを構築することができる。そのような印刷システムでは、端末装置が、ネットワークを介して印刷ジョブを画像形成装置に供給し、画像形成装置が、その印刷ジョブを実行する。
【０００３】
通常、画像形成装置は、内部で発生したエラーに起因して印刷ジョブを実行できない場合には、その印刷ジョブを供給した端末装置に対して、エラー通知を送信する（例えば、特許文献１参照）。
【特許文献１】特開２００５−８８４７４号公報
【発明の開示】
【発明が解決しようとする課題】
【０００４】
上述の技術では、ジョブの実行が不可能である場合のみエラーを通知しているため、ジョブの実行が可能であれば、ジョブを実行してしまう。このため、印刷結果に不具合が生じたり、印刷途中にエラーが発生してしまう可能性がある。
【０００５】
急いで印刷をしていないとき、重要ではない印刷のときなどにおいては、不具合やエラーが発生しても、ユーザへの影響は少ないが、急いで印刷をしているとき、重要な印刷のときなどにおいては、不具合やエラーが発生すると、ユーザへの影響が大きい。
【０００６】
しかしながら、ユーザは、ＬＡＮ（Local Area Network）上の複数の画像形成装置のそれぞれがどのような不具合やエラーを起こしやすいかを把握していないため、ユーザの状況に合う画像形成装置を適切に選択していない可能性がある。
【０００７】
本発明は、上記の問題に鑑みてなされたものであり、ユーザが、ユーザの状況に合う画像形成装置を適切に選択できるようにする画像形成装置を得ることを目的とする。
【課題を解決するための手段】
【０００８】
上記の課題を解決するために、本発明では以下のようにした。
【０００９】
本発明に係る画像形成装置は、印刷ジョブの属性を特定するジョブ解析手段と、印刷ジョブの実行が可能である場合に、ジョブ解析手段により特定された属性に関連して、印刷ジョブの実行中に発生する可能性のあるエラーまたは不具合が存在するか否かを判定する判定手段と、印刷ジョブの実行中に発生する可能性のあるエラーまたは不具合が存在する場合、そのエラーまたは不具合の発生可能性を示す警告通知を送信する通知手段と、警告通知が送信された場合、印刷ジョブの実行開始指令を受信したときのみ、印刷ジョブを実行させる制御手段とを備える。
【００１０】
これにより、ユーザは、印刷ジョブの実行中に発生するかもしれないエラーや不具合をその印刷ジョブの実行前に知ることができ、その印刷ジョブの実行をキャンセルして、必要に応じて別の画像形成装置を使用することができる。このため、ユーザは、ユーザの状況に合う画像形成装置を適切に選択できる。
【００１１】
また、本発明に係る画像形成装置は、上記の画像形成装置に加え、次のようにしてもよい。この場合、画像形成装置は、装置内部の状態を示す状態データ、並びに過去のエラーまたは不具合の種類および回数を示すカウンタデータのうちの少なくとも一方のデータを格納するデータ格納部を備える。そして、判定手段は、状態データおよびカウンタデータのうちの少なくとも一方に基づいて、印刷ジョブの実行中に発生する可能性のあるエラーまたは不具合が存在するか否かを判定する。
【００１２】
これにより、画像形成装置の過去の動作履歴および／または現在の状態に基づいて、印刷ジョブの実行中に発生する可能性のあるエラーまたは不具合が検出される。
【００１３】
また、本発明に係る画像形成装置は、上記の画像形成装置のいずれかに加え、次のようにしてもよい。この場合、状態データは、トナー残量および紙残量のうちの少なくとも一方を含む。
【００１４】
また、本発明に係る画像形成装置は、上記の画像形成装置のいずれかに加え、次のようにしてもよい。この場合、画像形成装置は、印刷ジョブの属性とエラーまたは不具合の項目との関連性を定義する関連性データを格納するデータ格納部を備える。そして、判定手段は、関連性データに基づいて印刷ジョブに関連するエラーまたは不具合の項目を特定し、特定した項目についてその印刷ジョブの実行中に発生する可能性のあるエラーまたは不具合が存在するか否かを判定する。
【００１５】
また、本発明に係る画像形成装置は、上記の画像形成装置のいずれかに加え、次のようにしてもよい。この場合、画像形成装置は、印刷ジョブ実行中にエラーが発生した場合にその印刷ジョブの属性とそのエラーの項目とを関連付けて関連性データを生成する関連性データ生成手段を備える。
【００１６】
これにより、装置個体ごとにエラーや不具合が異なる場合であっても、その装置固有のエラーや不具合についての警告をユーザに与えることができる。
【００１７】
また、本発明に係る画像形成装置は、上記の画像形成装置のいずれかに加え、次のようにしてもよい。この場合、画像形成装置は、印刷ジョブの実行中に発生する可能性のあるエラーまたは不具合が存在する場合、その印刷ジョブが実行可能であって、かつそのエラーまたは不具合がその印刷ジョブの実行中に発生する可能性がないと予測される他の画像形成装置を検索する検索手段を備える。そして、通知手段は、警告通知の送信先へ、検索手段により発見された他の画像形成装置を通知する。
【００１８】
これにより、ユーザは、印刷ジョブに対して適切な代替の画像形成装置で、その印刷ジョブを実行させることができる。
【発明の効果】
【００１９】
本発明によれば、ユーザが、ユーザの状況に合う画像形成装置を適切に選択できるようにする画像形成装置を得ることができる。
【発明を実施するための最良の形態】
【００２０】
以下、図に基づいて本発明の実施の形態を説明する。
【００２１】
実施の形態１．
図１は、本発明の実施の形態１に係る画像形成装置の構成を示すブロック図である。この画像形成装置は、プリンタ、コピー機、ファクシミリ装置、複合機などといった印刷機能を有する装置である。
【００２２】
図１において、印刷エンジン１は、印刷ジョブに従って印刷を行う装置である。インクジェットプリンタの場合、印刷エンジン１は、インクをインクヘッドから吐出することで、画像を記録媒体（例えば印刷用紙）上に形成する。レーザープリンタの場合、印刷エンジン１は、トナー現像を行い、それを記録媒体上に転写して定着させることで、画像を記録媒体上に形成する。
【００２３】
また、制御部２は、印刷エンジン１を制御するとともに、印刷エンジン１の状態を監視する処理部である。制御部２は、印刷ジョブに従って印刷エンジン１を動作させる。また、制御部２は、エラーなどのイベント種類ごとにイベントの発生回数をカウントし、カウンタデータ３２を更新するとともに、印刷エンジン１内のセンサから得られる内部状態に応じて状態データ３３を更新する。
【００２４】
また、制御部２は、（ａ）印刷ジョブの属性を特定する機能、（ｂ）印刷ジョブの実行が可能である場合に、特定した印刷ジョブの属性に関連して、印刷ジョブの実行中に発生する可能性のあるエラーまたは不具合が存在するか否かを判定する機能、（ｃ）印刷ジョブの実行中に発生する可能性のあるエラーまたは不具合が存在する場合、そのエラーまたは不具合の発生可能性を示す警告通知を送信する機能、および（ｄ）警告通知が送信された場合、印刷ジョブの実行開始指令を受信したときのみ、印刷ジョブを実行させる機能を有する。
【００２５】
なお、制御部２は、例えば、コンピュータでプログラムが実行されることにより実現される。
【００２６】
また、ＲＡＭ３は、一時的に印刷ジョブを格納するメモリである。なお、ＲＡＭ３には、画像形成装置が動作している際に、画像形成装置を制御するプログラム、データ格納部５から読み出されたデータなども格納される。
【００２７】
また、通信部４は、パーソナルコンピュータなどのユーザ端末装置から印刷データを受信する通信装置である。例えば、パーソナルコンピュータにおけるプリンタドライバから、印刷ジョブとして、印刷データが送信される。通信部４としては、周辺機器インタフェース、ネットワークインタフェースなどが使用される。
【００２８】
また、データ格納部５は、各種データを格納する装置である。データ格納部５としては、不揮発性の書換可能なメモリ、ハードディスクドライブなどが使用される。データ格納部５は、例えば、関連性データ３１、カウンタデータ３２、状態データ３３、警告メッセージデータ３４などを格納している。
【００２９】
関連性データ３１は、印刷ジョブの属性とエラーまたは不具合の項目との関連性を定義するデータである。
【００３０】
例えば、印刷ジョブの属性としては、カラー設定（カラーまたはモノクロ）、印刷枚数設定、用紙サイズ設定、両面印刷設定などの項目がある。
【００３１】
また、例えば、エラーまたは不具合としては、トナー切れ、用紙切れ、用紙詰まり、印刷時間（所要時間が長い）などの項目がある。
【００３２】
図２は、図１における関連性データ３１の一例を示す図である。図２に示す関連性データ３１では、印刷ジョブの属性値の組み合わせと、その印刷ジョブで発生したエラーの種別と、そのエラーの発生回数と、そのエラーの最終発生日とが関連付けられている。なお、同一属性値を有する印刷ジョブの発生回数とエラーの発生回数とをカウントしておき、発生回数の代わりに、発生割合（＝エラー発生回数／印刷ジョブ発生回数）を使用してもよい。
【００３３】
また、警告メッセージデータ３４は、警告通知に含められる図および／またはテキストのデータである。警告通知の種別ごとに、図および／またはテキストのデータが存在する。
【００３４】
また、操作パネル６は、装置筐体上に設置され、表示装置および入力装置を有する。操作パネル６の表示装置としては、例えば、液晶ディスプレイが使用される。操作パネル６の入力装置としては、液晶ディスプレイ上に配置されたタッチパネル、キースイッチなどが使用される。
【００３５】
次に、上記装置の動作について説明する。図３は、実施の形態１に係る画像形成装置の動作を説明するフローチャートである。
【００３６】
制御部２は、例えばユーザ端末装置からネットワークおよび通信部４を介して印刷ジョブを受信すると、ＲＡＭ３に格納する（ステップＳ１）。
【００３７】
そして、制御部２は、ＲＡＭ３における印刷ジョブを参照して、その印刷ジョブの属性を特定する（ステップＳ２）。
【００３８】
次に、制御部２は、状態データ３３を参照してその印刷ジョブが実行可能であることを確認した後に、関連性データ３１を参照し、その印刷ジョブの属性について、発生の可能性があるエラー／不具合が存在するか否かを判定する（ステップＳ３）。
【００３９】
このとき、制御部２は、エラー／不具合の項目に応じて、必要であれば、カウンタデータ３２および／または状態データ３３を参照し、カウンタデータ３２および／または状態データ３３を考慮して、印刷ジョブの実行は可能であるが発生の可能性があるエラー／不具合が存在するか否かを判定する。
【００４０】
例えば、関連性データ３１で、印刷枚数に、トナー切れ、用紙切れおよび用紙詰まりが関連付けられている場合、制御部２は、状態データ３３のうちのトナー残量および用紙残量と、印刷ジョブの印刷枚数とを比較して、トナー切れおよび用紙切れについて、発生する可能性があるか否かを判定する。
【００４１】
なお、トナー残量から印刷可能な用紙枚数を計算することは印字率が一定ではないため簡単ではない。また、用紙残量についても正確な印刷可能枚数を検出することが困難である。このため、制御部２は、センサにより検出されたトナー残量の値および用紙残量の値と印刷ジョブの印刷枚数とを比較して、発生する可能性の高さを特定する。例えば、トナー切れの発生する可能性の高さは、トナー残量値と印刷ジョブの印刷枚数に基づいて複数レベルのいずれかと特定される。また、用紙切れの発生する可能性の高さは、用紙残量値と印刷ジョブの印刷枚数に基づいて複数レベルのいずれかと特定される。
【００４２】
また、例えば、カラー印刷時に用紙詰まりが過去に発生している場合には、制御部２により、関連性データ３１において、カラー設定に対して用紙詰まりが関連付けられる。したがって、その場合には、印刷ジョブのカラー設定がカラーであれば、制御部２は、その発生頻度に応じたレベルで、紙詰まりの発生可能性があると判定する。
【００４３】
さらに、印刷ジョブにおける複数の属性から、同一のエラー／不具合の発生可能性があると判定した場合、制御部２は、１つの属性に基づいてエラー／不具合の発生可能性があると判定するときに比べ、そのエラー／不具合の発生可能性がより高いと判定する。
【００４４】
あるいは、制御部２は、図２に示すように設定されているすべての属性値が一致するエラー種別のみを抽出し、その発生回数から、発生可能性を複数レベルのいずれかと特定するようにしてもよい。
【００４５】
このようにして、エラー／不具合の発生可能性の有無およびレベルが判定される。
【００４６】
そして、少なくとも１つのエラー／不具合が存在すれば、制御部２は、印刷ジョブの送信元へ、警告通知を送信する（ステップＳ４）。このとき、発生可能性が所定のレベル以上であるエラー／不具合が存在する場合のみ、制御部２は、警告通知を送信するようにしてもよい。
【００４７】
このときの警告通知には、（ａ）発生する可能性があるエラー／不具合を示す図および／またはテキスト、（ｂ）印刷ジョブの属性情報、（ｃ）画像形成装置の識別情報（例えば名称や機器タイプＩＤ）などが含まれている。例えばユーザ端末装置が警告通知を受信すると、その警告通知に基づいて警告画面を表示する。
【００４８】
エラー／不具合を示す図および／またはテキストのデータは、予め、データ格納部５に警告メッセージデータ３４として格納されている。そして、警告通知に含められる図および／またはテキストは、印刷ジョブの属性、および、データ３２，３３に基づき特定される発生可能性の高さに応じて、警告メッセージデータ３４から選択される。
【００４９】
例えば、複数のレベルのそれぞれについて、警告通知に含められる図および／またはテキストが予めデータ格納部５に格納されている。そして、ステップＳ３において特定されたレベルに応じて、警告通知に含められる図および／またはテキストが選択される。
【００５０】
図４は、実施の形態１において、警告通知に基づいて表示される警告画面の一例を示す図である。図４に示す警告画面では、（ａ）テキスト「このプリンタでは、カラー印刷時に紙詰まりが発生するかもしれません。」、（ｂ）印刷ジョブの属性情報「カラー印刷  １００枚」、（ｃ）画像形成装置の識別情報「プリンタ  ＰＲＮ００１」が表示されている。また、警告画面には、警告通知に含まれている情報の他、印刷ジョブの実行を許可またはキャンセルするための操作部（図４では、ＯＫボタンおよびキャンセルボタン）が表示される。
【００５１】
ユーザ端末装置において操作部へのユーザ操作が検出されると、ユーザ端末装置は、その操作情報を画像形成装置に送信する。画像形成装置では、通信部４を介して、制御部２が、その操作情報を受信する。そして、制御部２は、その操作情報に基づいて、印刷ジョブの実行が許可されたか否かを判定する（ステップＳ５）。
【００５２】
制御部２は、印刷ジョブの実行が許可されなかったと判定した場合、ＲＡＭ３に格納されている印刷ジョブの実行をキャンセルし、ＲＡＭ３からその印刷ジョブを削除する（ステップＳ６）。一方、制御部２は、印刷ジョブの実行が許可されたと判定した場合、ＲＡＭ３に格納されている印刷ジョブに従って印刷エンジン１を制御し印刷を実行させる（ステップＳ７）。
【００５３】
また、発生しそうなエラー／不具合が存在しないとステップＳ３において判定した場合、制御部２は、警告通知をせずに、ＲＡＭ３に格納されている印刷ジョブに従って印刷エンジン１を制御し印刷を実行させる（ステップＳ７）。
【００５４】
なお、コピージョブの場合にも印刷ジョブが発生するため、上述の場合と同様に処理される。この場合、警告画面は、制御部２からの警告通知に基づいて操作パネル６の表示装置により表示され、ユーザ操作は、操作パネル６の入力装置により検出され、その操作情報が制御部２へ供給される。
【００５５】
以上のように、上記実施の形態１によれば、制御部２は、（ａ）印刷ジョブの属性を特定する機能、（ｂ）印刷ジョブの実行が可能である場合に、特定した印刷ジョブの属性に関連して、印刷ジョブの実行中に発生する可能性のあるエラーまたは不具合が存在するか否かを判定する機能、（ｃ）印刷ジョブの実行中に発生する可能性のあるエラーまたは不具合が存在する場合、そのエラーまたは不具合の発生可能性を示す警告通知を送信する機能、および（ｄ）警告通知が送信された場合、印刷ジョブの実行開始指令を受信したときのみ、印刷ジョブを実行させる機能を有する。
【００５６】
これにより、ユーザは、印刷ジョブの実行中に発生するかもしれないエラーや不具合をその印刷ジョブの実行前に知ることができ、その印刷ジョブの実行をキャンセルして、必要に応じて別の画像形成装置を使用することができる。このため、ユーザは、ユーザの状況に合う画像形成装置を適切に選択できる。また、関連するエラーや不具合のみがユーザに対して表示されるため、ユーザは、印刷ジョブに無関係な情報を見ずに済む。
【００５７】
また、上記実施の形態１によれば、制御部２は、状態データ３３およびカウンタデータ３２のうちの少なくとも一方に基づいて、印刷ジョブの実行中に発生する可能性のあるエラーまたは不具合が存在するか否かを判定する。
【００５８】
これにより、画像形成装置の過去の動作履歴および／または現在の状態に基づいて、印刷ジョブの実行中に発生する可能性のあるエラーまたは不具合が検出される。
【００５９】
また、上記実施の形態１によれば、制御部２は、印刷ジョブ実行中にエラーが発生した場合にその印刷ジョブの属性とそのエラーの項目とを関連付けて関連性データ３１を生成する。
【００６０】
これにより、装置個体ごとにエラーや不具合が異なる場合であっても、その装置固有のエラーや不具合についての警告をユーザに与えることができる。
【００６１】
実施の形態２．
本発明の実施の形態２に係る画像形成装置は、警告通知をする場合、代替装置を検索し、発見した代替装置を併せて通知する。
【００６２】
なお、実施の形態２に係る画像形成装置の構成は、実施の形態１のものと同様である。ただし、制御部２は、以下のように動作する。
【００６３】
図５は、実施の形態２に係る画像形成装置の動作を説明するフローチャートである。
【００６４】
実施の形態２では、ステップＳ３において少なくとも１つのエラー／不具合が存在すると判定した場合、制御部２は、この画像形成装置の代替となり得る他の装置を検索する（ステップＳ１１）。
【００６５】
このとき、制御部２は、同一ＬＡＮに接続されている１または複数の他の画像形成装置からその装置のネットワークアドレス（例えばＩＰアドレス、マシンニックネームなど）および機器情報（例えば、機器タイプＩＤ）を取得し、それらの画像形成装置から代替可能な装置を選択する。例えば、制御部２は、この画像形成装置と同一の装置、その上位機種などを選択する。さらに、このとき、制御部２は、他の画像形成装置から、その装置の関連性データ３１を取得し、受信した印刷ジョブの属性値についてエラーが関連付けられていない装置を選択する。
【００６６】
なお、制御部２は、予め定期的に、同一ＬＡＮに接続されている１または複数の他の画像形成装置からその装置のネットワークアドレス、機器情報および関連性データ３１を取得しておくようにしてもよい。
【００６７】
そして、代替装置の検索処理を行った後、制御部２は、印刷ジョブの送信元へ、警告通知を送信する（ステップＳ４）。このとき、代替装置が発見された場合には、警告通知に、代替装置の情報（ネットワークアドレス、機器情報など）が含められる。代替装置が発見されなかった場合には、実施の形態１と同様の警告通知とされる。
【００６８】
図６は、実施の形態２において、警告通知に基づいて表示される警告画面の一例を示す図である。代替装置が発見された場合、代替装置の情報が、警告通知に含められ、図６に示すように、警告画面において、代替装置の情報「代替プリンタ候補  プリンタ  ＰＲＮ００４」が表示される。したがって、ユーザは、例えばユーザ端末装置の印刷ユーティリティやプリンタドライバを操作して、この画像形成装置から、表示された代替装置へ、使用する装置を切り替えることができる。
【００６９】
ステップＳ５以降の処理については、実施の形態１の場合と同様であるので、その説明を省略する。
【００７０】
以上のように、上記実施の形態２によれば、制御部２は、印刷ジョブの実行中に発生する可能性のあるエラーまたは不具合が存在する場合、印刷ジョブが実行可能であって、かつそのエラーまたは不具合が印刷ジョブの実行中に発生する可能性がないと予測される他の画像形成装置を検索する。そして、制御部２は、警告通知の送信先へ、発見した他の画像形成装置を通知する。
【００７１】
これにより、ユーザは、印刷ジョブに対して適切な代替の画像形成装置で、その印刷ジョブを実行させることができる。
【００７２】
なお、上述の各実施の形態は、本発明の好適な例であるが、本発明は、これらに限定されるものではなく、本発明の要旨を逸脱しない範囲において、種々の変形、変更が可能である。
【００７３】
例えば、実施の形態１，２において、関連性データ３１を、ユーザが編集可能なものとしてもよい。
【００７４】
また、実施の形態２において、制御部２は、警告通知に対する応答として、代替装置の検索実行指示を受信してから、代替装置の検索を実行するようにしてもよい。
【００７５】
また、実施の形態２において、制御部２は、発見した代替装置へ、印刷ジョブを自動的に転送するようにしてもよい。
【産業上の利用可能性】
【００７６】
本発明は、例えば、複合機に適用可能である。
【図面の簡単な説明】
【００７７】
【図１】本発明の実施の形態１に係る画像形成装置の構成を示すブロック図である。
【図２】図１における関連性データの一例を示す図である。
【図３】実施の形態１に係る画像形成装置の動作を説明するフローチャートである。
【図４】実施の形態１において、警告通知に基づいて表示される警告画面の一例を示す図である。
【図５】実施の形態２に係る画像形成装置の動作を説明するフローチャートである。
【図６】実施の形態２において、警告通知に基づいて表示される警告画面の一例を示す図である。
【符号の説明】
【００７８】
２  制御部（ジョブ解析手段の一例，判定手段の一例，通知手段の一例，制御手段の一例，関連性データ生成手段の一例，検索手段の一例）
５  データ格納部
３１  関連性データ
３２  カウンタデータ
３３  状態データ
【図１】
2010094920.tif 000003
【図２】
2010094920.tif 000004
【図３】
2010094920.tif 000005
【図４】
2010094920.tif 000006
【図５】
2010094920.tif 000007
【図６】
2010094920.tif 000008